(57)【要約】【課題】ドキュメント処理装置の様々な状況に対応可能なユーザ・インターフェイス・システムおよび方法を提供する。【解決手段】ドキュメント処理装置に関連する複数のコンポーネントに対して問合せが行われ、この問合せに対応して、それぞれのコンポーネントの動作特性に対応する装置情報データが受け取られる。次いで、ユーザ・インターフェイスを介して、選択されたドキュメント処理動作に対応し第1の選択データである装置動作データが受け取られる。装置情報データは、受け取った装置動作データに対して比較される。比較出力に基づいて、コンポーネントのサブセットのコントロールに対応する標識がディスプレイ上に生成される。ディスプレイに表示され、選択された標識に対応する第２の選択データが受け取られ、受け取られた第２の選択データにしたがって、選択されたドキュメント処理動作が開始される。【選択図】図８
2010244547.tif 000002
【特許請求の範囲】
【請求項１】
ドキュメント処理装置の複数のコンポーネントのそれぞれとデータ通信を行う問合せ生成手段と、
前記ドキュメント処理装置の選択された少なくとも１つのドキュメント処理動作を表す第１の選択データを受け取る第１の選択データ入力手段と、
前記問合せ生成手段によって生成された問合せデータへの応答として得られる、前記コンポーネントのそれぞれの動作状態に対応する装置情報データを保存するデータ記憶手段と、
このデータ記憶手段に保存されている前記装置情報データと、前記第１の選択データとを比較する比較手段と、
この比較手段の出力によって指定される複数の機能的コントロールのサブセットのそれぞれに対応する標識を表示する表示手段と、
前記機能的コントロールのサブセットに対応する標識に対応する第２の選択データを受け取る第２の選択データ入力手段とを備え、
前記ドキュメント処理装置は、前記第１の選択データおよび前記第２の選択データにしたがって制御されることを特徴とするドキュメント処理装置のユーザ・インターフェイス・システム。
【請求項２】
前記表示手段は、さらに、前記第２の選択データに対応する第２の標識を表示し、
前記システムは、前記第２の標識に対応する補足的な選択データを受け取る補足的な選択データ入力手段を、さらに、備え
前記ドキュメント処理装置は、さらに、受け取った補足的な選択データにしたがって制御されることを特徴とする請求項１記載のドキュメント処理装置のユーザ・インターフェイス・システム。
【請求項３】
ドキュメント処理装置に関連する複数のコンポーネントに対して問合せを行う問合せステップと、
この問合せステップに対応して、前記複数のコンポーネントのそれぞれの動作特性に対応する装置情報データを受け取るステップと、
前記ドキュメント処理装置の選択された少なくとも１つのドキュメント処理動作に対応し第1の選択データである装置動作データを、前記ドキュメント処理装置に関連するユーザ・インターフェイスを介して、受け取るステップと、
前記受け取った装置情報データを、前記受け取った装置動作データに対して比較する比較ステップと、
この比較ステップの出力にしたがって、前記複数のコンポーネントのサブセットのコントロールに対応する標識を前記ユーザ・インターフェイスに関連するディスプレイ上に生成するステップと、
前記ディスプレイに表示された少なくとも１つの標識に対応する第２の選択データを受け取るステップと、
前記受け取った第２の選択データにしたがって、前記選択されたドキュメント処理動作を開始する動作開始ステップと、
を含むことを特徴とするドキュメント処理装置のユーザ・インターフェイス方法。
【請求項４】
受け取った選択データおよび受け取った装置情報データにしたがって、改訂された標識を前記ディスプレイ上に生成するステップと、
少なくとも１つの前記改訂された標識に対応する補足的な選択データを受け取るステップとを、さらに、含み、
前記動作開始ステップは、前記受け取った補足的な選択データにしたがって、前記選択されたドキュメント処理動作を開始するステップを含むことを特徴とする請求項３記載のドキュメント処理装置のユーザ・インターフェイス方法。
【請求項５】
前記問合せステップは、それぞれの選択データを受け取った後に開始されることを特徴とする請求項４記載のドキュメント処理装置のユーザ・インターフェイス方法。
【請求項６】
前記コンポーネントは、シート・ストック入力コンポーネントおよび印刷シート出力コンポーネントの少なくとも１つを含むことを特徴とする請求項３記載のドキュメント処理装置のユーザ・インターフェイス方法。
【請求項７】
前記コンポーネントは、ドキュメント・データ入力コンポーネントおよびドキュメント・データ出力コンポーネントの少なくとも１つを含むことを特徴とする請求項３記載のドキュメント処理装置のユーザ・インターフェイス方法。
【請求項８】
ドキュメント処理装置に関連する複数のコンポーネントに対して問合せを行う問合せ手段と、
前記問合せに対応して、前記複数のコンポーネントのそれぞれの動作特性に対応する装置情報データを受け取る手段と、
表示部とデータ入力部とを含むユーザ・インターフェイスと、
前記ドキュメント処理装置の選択された少なくとも１つのドキュメント処理動作に対応し第1の選択データである装置動作データを、前記ユーザ・インターフェイスを介して受け取る手段と、
前記受け取った装置情報データを、前記受け取った装置動作データに対して比較する比較手段と、
この比較手段の出力にしたがって、前記複数のコンポーネントのサブセットのコントロールに対応する標識を前記表示部上に生成する手段と、
前記表示部に表示された少なくとも１つの標識に対応する第２の選択データを受け取る手段と、
前記受け取った第２の選択データにしたがって、前記選択されたドキュメント処理動作を開始する制御手段と
を備えることを特徴とするドキュメント処理装置のユーザ・インターフェイス・システム。
【請求項９】
受け取った選択データおよび受け取った装置情報データにしたがって、改訂された標識を前記表示部上に生成する手段と、
少なくとも１つの前記改訂された標識に対応する補足的な選択データを受け取る手段とを、さらに、備え、
前記制御手段は、前記受け取った補足的な選択データにしたがって、前記選択されたドキュメント処理動作を開始する手段を含むことを特徴とする請求項８記載のドキュメント処理装置のユーザ・インターフェイス・システム。
【請求項１０】
前記問合せ手段は、それぞれの選択データを受け取った後に問合せを実行することを特徴とする請求項９記載のドキュメント処理装置のユーザ・インターフェイス・システム。
【請求項１１】
前記コンポーネントは、シート・ストック入力コンポーネントおよび印刷シート出力コンポーネントの少なくとも１つを含むことを特徴とする請求項８記載のドキュメント処理装置のユーザ・インターフェイス・システム。
【請求項１２】
前記コンポーネントは、ドキュメント・データ入力コンポーネントおよびドキュメント・データ出力コンポーネントの少なくとも１つを含むことを特徴とする請求項８記載のドキュメント処理装置のユーザ・インターフェイス・システム。
【発明の詳細な説明】
【技術分野】
【０００１】
本発明は、ドキュメント処理装置の動作の制御に関し、特に、ドキュメント処理装置のユーザ・インターフェイス・システムおよび方法に関する。
【背景技術】
【０００２】
現在普及しているドキュメント処理装置には、スキャナ、ファクシミリ装置、およびプリンタ等がある。最近では、これらの装置が備える機能の複数のものが、多機能周辺装置（ＭＦＰ）または多機能装置と呼ばれる１つの装置として提供されている。
【０００３】
最近のドキュメント処理装置は、非常に高性能であり、かつ、多数のオプションがユーザに提供されている。一例として、印刷システムにおいては、ユーザは、用紙のサイズ、ストック用の用紙トレイ、出力ビン（bin）、ならびに、丁合、ステープル、穴あけまたはＮ ｉｎ １印刷（Ｎ−ｕｐ印刷ともいう）等のオプションを選択可能である。様々なこのようなオプションは、タッチスクリーン・コントロールを含むグラフィカル・ユーザ・インターフェイスを通じて、さらにユーザ・フレンドリーなコントロールに結び付いている。インターフェイスは、通常、比較的不慣れなユーザでも容易に操作できるようにするために、装置供給者によってプログラムされている。しかしながら、個々の装置には様々な構成がある。
【０００４】
例えば、装置の中には、ステープル機能を備えていないものもあり、あるいは、装置の中には、ファクシミリ通信機能を備えていないものもあろう。さらに、装置の中には、ネットワークに接続されているものも存在する一方、ネットワークに接続されていないものもあり、これに応じて、ドキュメントの保存または配布オプションが変化する。
【０００５】
可能なすべてのシステム構成についてユーザ・コントロールを生成することは装置供給者の責務である。さらに、ドキュメント処理装置は、用紙トレイの変更やステープル針の不足等により、動作中に状況が変化する場合があり、このような状況は、予めプログラムされたユーザ・コントロールによって想定された方法で動作する装置の能力を変化させる虞がある。
【０００６】
したがって、ドキュメント処理装置の様々な状況に対応可能なユーザ・インターフェイス・システムまたは方法が望まれている。
【発明の概要】
【発明が解決しようとする課題】
【０００７】
本発明は、上記の従来のニーズに鑑みてなされたもので、ドキュメント処理装置の様々な状況に対応可能なユーザ・インターフェイス・システムおよび方法を提供することを目的とする。
【課題を解決するための手段】
【０００８】
本発明によるドキュメント処理装置のユーザ・インターフェイス・システムおよび方法においては、ドキュメント処理装置に関連する複数のコンポーネントに対する問合せが実行され、この問合せに対する応答として複数のコンポーネントのそれぞれの動作特性に対応する装置情報データ（第１の選択データ）が受け取られる。また、関連するユーザ・インターフェイスを介して、ドキュメント処理装置の少なくとも１つの選択されたドキュメント処理動作に対応する装置動作データが受け取られ、受け取った装置動作データに対して比較される。比較出力にしたがって、複数のコンポーネントのサブセットのコントロールに対応する標識がユーザ・インターフェイスに関連するディスプレイ上に生成され、ディスプレイ上の少なくとも１つの標識に対応する第２の選択データが受け取られる。受け取った第２の選択データにしたがって、選択されたドキュメント処理動作が開始される。
【発明の効果】
【０００９】
本発明によれば、ドキュメント処理装置の様々な状況に対応可能なユーザ・インターフェイス・システムおよび方法が提供される。
【図面の簡単な説明】
【００１０】
【図１】本発明による実施形態が適用されるシステム全体の構成例である。
【図２】本発明による実施形態のシステムの動作が実行されるドキュメント処理装置のハードウェアの構成例である。
【図３】本発明による実施形態のシステムの動作が実行されるドキュメント処理装置の機能ブロックの構成例である。
【図４】本発明による実施形態のシステムの動作が実行されるコントローラのハードウェアの構成例を説明するための図である。
【図５】本発明による実施形態のシステムの動作が実行されるコントローラの機能ブロックの構成例を説明するための図である。
【図６】本発明の一実施形態によるシステムのブロック図である。
【図７】本発明の一実施形態によるシステムの機能ブロック図である。
【図８】本発明による実施形態における基本的な動作の一例を表すフローチャートである。
【図９】本発明の他の実施形態における動作の一例を詳細に表したフローチャートである。
【図１０】本発明の一実施形態によるテンプレート・ドキュメント処理ユーザ・インターフェイスを示す図である。
【図１１】本発明の一実施形態によるテンプレート・ドキュメント処理ユーザ・インターフェイスを示す図である。
【図１２】本発明の一実施形態によるテンプレート・ドキュメント処理ユーザ・インターフェイスを示す図である。
【図１３】本発明の一実施形態によるテンプレート・ドキュメント処理ユーザ・インターフェイスを示す図である。
【発明を実施するための形態】
【００１１】
以下、適宜、図面を参照しながら一例としての実施の形態の説明を行う。図１は本実施の形態におけるドキュメント処理装置のユーザ・インターフェイス・システムが適用されるシステム全体の構成例である。システム１００は、コンピュータ・ネットワーク１０２として表されている分散コンピューティング環境を利用して具体化することができる。
【００１２】
コンピュータ・ネットワーク１０２は、複数の電子装置間におけるデータの交換を可能とする本技術分野で知られている任意の分散通信システムである。コンピュータ・ネットワーク１０２は、例えば、仮想ローカル・エリア・ネットワーク、ワイド・エリア・ネットワーク、パーソナル・エリア・ネットワーク、ローカル・エリア・ネットワーク、インターネット、イントラネット、またはこれらの任意の組合せを含む任意のコンピュータ・ネットワークである。
【００１３】
また、コンピュータ・ネットワーク１０２は、例えば、トークン・リング、IEEE802.11(x)、Ethernet（登録商標）またはその他の無線ベースまたは有線ベースのデータ通信メカニズム等の既存の多数のデータ転送メカニズムによって例示されるような物理レイヤおよびトランスポート・レイヤから構成される。尚、上記のようにコンピュータ・ネットワーク１０２を示したが、本発明はこれに限定されるものではなく、例えば、スタンドアローンの形態でも同様に実施可能である。
【００１４】
また、システム１００は、さらに、様々なドキュメント処理を実行するために適切な多機能周辺装置（Multi-Function Peripheral；以下、ＭＦＰ）として図に表されているドキュメント処理装置１０４を有する。ここで、ＭＦＰはドキュメント処理装置の一形態であって、本発明におけるドキュメント処理装置がＭＦＰに限定されるものではない。ドキュメント処理装置１０４は、例えば、ファクシミリ通信、画像走査、コピー、印刷、電子メール、ドキュメント管理、またはドキュメント保存等の処理を行う。また、例えば、ドキュメント処理装置１０４は、リモート・ドキュメント処理サービスを外部装置あるいはネットワークに接続された装置に対して提供する。ドキュメント処理装置１０４は、ユーザあるいはネットワークに接続された装置等とやり取りするように構成された、ハードウェア、ソフトウェアおよびこれらの任意の適切な組合せを含む。
【００１５】
また、ドキュメント処理装置１０４は、例えば、IEEE 1394あるいはＵＳＢインターフェイスを有する各種ドライブ、多様なＩＣメモリ・カード等の、複数のポータブル記憶媒体を受け入れるためのインターフェイスを備える。また、ドキュメント処理装置１０４は、例えば、タッチスクリーン、ＬＣＤ、タッチパネル、英数字キーパッド等のユーザ・インターフェイス１０６を備える。ユーザは、ユーザ・インターフェイス１０６を介してドキュメント処理装置１０４と直接やり取りすることができる。ユーザ・インターフェイス１０６は、ユーザに情報を伝達し、ユーザから選択内容を受け取るために、有効に利用される。
【００１６】
ユーザ・インターフェイス１０６は、ユーザにデータを提供するために適切な種々のコンポーネントからなる。本発明における一実施形態において、ユーザ・インターフェイス１０６は、１または複数のグラフィック要素、テキスト・データ、または画像等をユーザに表示し、ユーザからの入力を受け取り、その入力を、後ほど説明する、コントローラ１０８等のバックエンド・コンポーネントに伝達するディスプレイ装置を有する。
【００１７】
また、ドキュメント処理装置１０４は、適切な通信リンク１１２を介して、コンピュータ・ネットワーク１０２に通信可能に接続される。通信リンク１１２としては、例えば、WiMax（Worldwide Interoperability for Microwave Access）、IEEE802.11a、IEEE802.11b、IEEE802.11g、IEEE802.11(x)、Bluetooth（登録商標）、公衆交換電話網、専用通信ネットワーク、赤外線接続、光接続やその他の適切な有線または無線のデータ通信チャネルを用いることができる。ドキュメント処理装置１０４の構成等については、後ほど図２および図３を参照しながら説明を行う。
【００１８】
また、ドキュメント処理装置１０４は、ドキュメント処理装置１０４による処理動作を容易にする適切なバックエンド・コンポーネントとして、コントローラ１０８を内蔵する。
【００１９】
コントローラ１０８は、ドキュメント処理装置１０４の動作を制御し、あるいはユーザ・インターフェイス１０６を介した画像の表示を制御し、あるいは電子画像データの操作を指示する等の処理を容易にするように構成されたハードウェア、ソフトウェアあるいはこれらの適切な組合せによって実装される。以下の説明において、コントローラ１０８という用語は、後に述べる動作を実行し、もしくは実行させ、もしくは制御し、または他の方法で動作させるように機能するハードウェア、ソフトウェア、またはこれらの組み合わせを含む、ドキュメント処理装置１０４に関連する任意の多数のコンポーネントの中のいずれかのものを意味するものとする。尚、図および上記の説明において、コントローラ１０８をドキュメント処理装置１０４に内蔵された形態としたが、これに限定されるものではなく、コントローラ１０８は、ドキュメント処理装置１０４に通信可能に接続された外部装置の形態であってもよい。コントローラ１０８との関連において説明を行う処理動作は、本技術分野において知られている任意の汎用コンピューティング・システムによって実行可能である。したがって、コントローラ１０８は、そのような汎用的なコンピューティング装置を表しており、以下の説明において使用する際にも、そのように意図されている。また、以下の説明においてはコントローラ１０８を使用しているが、これは実施形態の例にすぎず、その他の実施形態においても、本発明によるドキュメント処理装置のユーザ・インターフェイス・システムおよび方法を利用することができる。コントローラ１０８の構成等については、後ほど図４と図５を参照しながら説明を行う。
【００２０】
また、ドキュメント処理装置１０４にはデータ記憶装置１１０が通信可能に接続される。データ記憶装置１１０は、例えば、ハードディスク・ドライブ、その他の磁気記憶装置、光学式記憶装置、フラッシュ・メモリまたはこれらの任意の組み合わせを含む記憶装置である。データ記憶装置１１０は、例えば、画像走査された画像データ、変更された画像データ、編集されたデータ、ユーザ情報、携帯電話データ、予め設定された支払データ、ドキュメント・データ、画像データ、または電子データベースのデータ等を適切に保存する。また、本発明の一実施形態において、データ記憶装置１１０は、ドキュメント処理インストラクション、使用データ、ユーザ・インターフェイス・データ、ジョブ制御データ、コントローラ状態データ、コンポーネント実行データ、広告、ユーザ情報、場所情報、出力テンプレート、マッピング・データ、マルチメディア・データ・ファイルおよびフォント等を保存する能力を有する。データ記憶装置１１０は、システム１００の独立したコンポーネントとして図１に例示されているが、例えば、内蔵ハードディスク・ドライブ等のような、ドキュメント処理装置１０４の内部記憶装置、あるいはコントローラ１０８に実装される記憶装置あるいはコンポーネントであってもよい。
【００２１】
システム１００は、ドキュメント処理装置１０４と通信可能に接続され、また実質的にコンピュータ・ネットワーク１０２と通信可能に接続されたキオスク１１４を、さらに、含む。キオスク１１４を、ドキュメント処理装置１０４とは別のコンポーネントとして実装してもよく、ドキュメント処理装置１０４と一体的なコンポーネントとして実装してもよい。図に示したキオスク１１４の使用は単なる例示であり、本発明はキオスク装置を使用せずに実施することもできる。本発明による一実施形態において、キオスク１１４は、表示装置１１６とユーザ入力装置１１８を含む。キオスク１１４を、タッチスクリーン・インターフェイス等のユーザ入力装置と表示装置が組み合わされた装置を用いて実装することもできる。本発明による一実施形態において、キオスク１１４は、例えば、ユーザへの指示メッセージの表示、ユーザからのインストラクションの受け取り、支払データの受け取り、およびユーザからの選択データの受け取り等を行う。例えば、キオスク１１４は、クレジット・カード、クーポンまたはデビット・カード等を受け入れ支払データを読み出すために適切な、磁気カード・リーダ、または従来からあるバー・コード・リーダ等を備える。
【００２２】
また、システム１００は、キオスク１１４に接続され、多数の異なる携帯形記憶装置を受け入れアクセスする携帯形記憶装置リーダ１２０をも含む。このような携帯形記憶装置には、例えば、多様なＩＣメモリ・カード、ＣＤ−ＲＯＭ、ＤＶＤ−ＲＯＭ、ＵＳＢインターフェイスを有するフラッシュ・ドライブ、またはその他の磁気もしくは光記憶装置がある。
【００２３】
システム１００は、さらに、通信リンク１２４を介してコンピュータ・ネットワーク１０２とデータ通信可能な管理装置１２２を有する。管理装置１２２には、例えば、デスクトップ形パーソナル・コンピュータ、ノート形パーソナル・コンピュータ、ワークステーション・コンピュータ、ＰＤＡ（Personal Digital Assistant、携帯情報端末）、ウェブ適合（web-enabled）携帯電話、スマート・フォン、専用通信ネットワーク用の電子装置、またはその他のウェブ適合電子装置を含む本技術分野において知られている任意のパーソナル・コンピューティング装置を用いることができる。また、通信リンク１２４は、例えば、Bluetooth（登録商標）、WiMax、IEEE802.11a、IEEE802.11b、IEEE802.11g、IEEE802.11(x)、専用通信ネットワーク、赤外線接続、光接続、公衆交換電話網、または、その他の適切な無線または有線のデータ通信チャネルを用いることができる。
【００２４】
例えば、管理装置１２２は、ドキュメント処理装置１０４もしくはコンピュータ・ネットワーク１０２に接続された他の類似装置に関連して、編集されたドキュメント、状態データ、ジョブ・データ、ユーザ・インターフェイス・データ、および画像データの少なくとも１つの受信、ドキュメント処理ジョブの監視、シン・クライアント・インターフェイスの利用、表示データの生成、または出力データの生成等を実行する。
【００２５】
次に、図２に、システム１００の動作が実行され、図１においてはドキュメント処理装置１０４として示した、ドキュメント処理装置２００のハードウェア・アーキテクチャの構成の一例を示す。ドキュメント処理装置２００は、少なくとも１つのＣＰＵから構成されるプロセッサ２０２を含む。プロセッサ２０２は、互いに協調して動作する複数のＣＰＵから構成されることもある。また、ドキュメント処理装置２００には、ＢＩＯＳ機能、システム機能、システム構成データおよびドキュメント処理装置２００の動作に使用するその他のルーチンもしくはデータ等の静的または固定的なデータ、あるいはインストラクションのために有効に使用される、不揮発性または読出し専用メモリ（ＲＯＭ）２０４が含まれている。
【００２６】
また、ドキュメント処理装置２００は、ダイナミック・ランダム・アクセス・メモリ、スタティック・ランダム・アクセス・メモリ、または他の任意の適切なアドレス指定可能なメモリ・システムから構成されるＲＡＭ２０６を含む。ＲＡＭ２０６は、プロセッサ２０２によって処理されるアプリケーションおよびデータ処理に関係するデータ・インストラクションのための記憶領域を提供する。
【００２７】
ストレージ・インターフェイス２０８は、ドキュメント処理装置２００に関連するデータの不揮発性保存、大容量保存または長期的な保存ためのメカニズムを提供する。ストレージ・インターフェイス２０８は、参照符号２１６で示したディスク・ドライブ、光学式ドライブあるいはテープ・ドライブ等の適切な任意のアドレス指定可能、またはシリアル形の記憶装置等の大容量記憶装置の他、当業者に知られている適切な任意の記憶媒体を使用する。
【００２８】
ネットワーク・インターフェイス・サブシステム２１０は、ネットワークとの間の入出力を適切にルーティングすることによって、ドキュメント処理装置２００が他の装置と通信することを可能にする。ネットワーク・インターフェイス・サブシステム２１０は、ドキュメント処理装置２００の外部装置との１または複数のコネクションを確立する。図においては、一例として、Ethernet（登録商標）またはトークン・リング等の固定または有線ネットワークとのデータ通信のための少なくとも１つのネットワーク・インターフェイス・カード２１４と、WiFi（Wireless Fidelity）、WiMax、無線モデム、セルラ・ネットワークまたは適切な任意の無線通信システム等の手段を介した無線通信のために適切な無線インターフェイス２１８を示している。ネットワーク・インターフェイス・サブシステム２１０は、任意の物理的データ転送レイヤあるいは物理的データ転送レイヤではないデータ転送レイヤまたはプロトコル・レイヤを適切に利用する。図においては、ネットワーク・インターフェイス・カード２１４は、例えば、ローカル・エリア・ネットワーク、ワイド・エリア・ネットワークまたはこれらの組合せから適切に構成される物理的ネットワーク２２０を介したデータ交換を行うために、相互接続されている。
【００２９】
プロセッサ２０２、読出し専用メモリ（ＲＯＭ）２０４、ＲＡＭ２０６、ストレージ・インターフェイス２０８およびネットワーク・インターフェイス・サブシステム２１０の間のデータ通信は、バス２１２によって例示したバス・データ転送メカニズムを介して行われる。
【００３０】
ドキュメント処理装置２００における実行可能なインストラクションは、ワークステーション、他のドキュメント処理装置、または他のサーバ等の複数の外部装置との通信を円滑に実行する。動作の際、代表的な装置は自立的に動作するが、しばしば、ローカル・ユーザによる直接的な制御が望ましい場合もある。ローカル・ユーザによる直接的な制御は、ユーザ入出力（Ｉ／Ｏ）パネル２２４へのオプションの入出力（Ｉ／Ｏ）インターフェイス２２２を介して実行することができる。
【００３１】
また、１または複数のドキュメント処理エンジンへのインターフェイスも、バス２１２を介してデータ通信を行う。図に示した実施形態においては、印刷インターフェイス２２６、コピー・インターフェイス２２８、画像走査インターフェイス２３０およびファクシミリ・インターフェイス２３２は、それぞれ、印刷エンジン２３４、コピー・エンジン２３６、画像走査エンジン（スキャナ）２３８、およびファクシミリ・エンジン２４０との通信を容易にする。ドキュメント処理装置２００は、１または複数のドキュメント処理機能を適切に実行する。複数のドキュメント処理動作を実行するシステムは、通常、多機能周辺装置（ＭＦＰ）または多機能装置と呼ばれる。
【００３２】
次に、システム１００の動作が実行されるドキュメント処理装置１０４として図１に示したドキュメント処理装置３００の機能ブロック構成の一例を示す。図３は、ソフトウェアおよびオペレーティング・システム機能と関連して、図２に示したハードウェアの機能性を例示している。
【００３３】
ドキュメント処理装置３００は、１または複数のドキュメント処理動作を円滑に実行するドキュメント処理エンジン３０２を含む。ドキュメント処理エンジン３０２は、印刷エンジン３０４、ファクシミリ・エンジン３０６、画像走査エンジン（スキャナ）３０８およびコンソール・パネル３１０を含む。印刷エンジン３０４は、ドキュメント処理装置３００に伝達される電子ドキュメントを、物理的なドキュメント、すなわちハードコピーとして出力することを可能とする。ファクシミリ・エンジン３０６は、ファクシミリ・モデム等の装置を介して、外部のファクシミリ装置との間で相互にファクシミリ通信を行う。
【００３４】
画像走査エンジン（スキャナ）３０８は、ハードコピー・ドキュメントを受け取り、このハードコピー・ドキュメントに対応する画像データに変換するように機能する。コンソール・パネル３１０等のユーザ・インターフェイスは、ユーザからのインストラクションの入力と、ユーザへの情報の表示を可能にする。画像走査エンジン３０８は、有形のドキュメントの入力を、ビットマップ・フォーマット、ベクター・フォーマットまたはページ記述言語（ＰＤＬ）フォーマットの電子的な形態へ変換し、さらに、光学文字認識のためにも構成されている。また、有形のドキュメントの画像走査は、ファクシミリ動作においても有効に機能する。
【００３５】
図３に示したドキュメント処理エンジン３０２は、ドライバ３２６を介したネットワークとのインターフェイス３１６も備え、例えばネットワーク・インターフェイス・カードから構成されている。ネットワークは、有線、無線あるいは光によるデータ通信のような任意の適切な物理的レイヤおよび物理的でないレイヤによって、十分なやり取りを実現する。
【００３６】
ドキュメント処理エンジン３０２は、１または複数のデバイス・ドライバ３１４と適切にデータ通信を行う。デバイス・ドライバ３１４は、実際のドキュメント処理動作を実行するために、ドキュメント処理エンジン３０２と、１または複数の物理的装置との間のデータ交換を可能とする。このようなドキュメント処理動作には、印刷ドライバ３１８による印刷、ファクシミリ・ドライバ３２０によるファクシミリ通信、画像走査ドライバ３２２による画像走査、およびドライバ３２４によるユーザ・インターフェイス機能の中の１または複数のものが含まれる。これらの多様な装置は、ドキュメント処理エンジン３０２と関連する１または複数の対応するエンジンと結合されている。本発明においては、ドキュメント処理動作の任意のセットまたはサブセットが想定されている。複数の利用可能なドキュメント処理オプションを含むドキュメント処理装置は、前述したようにＭＦＰ等と呼ばれる。
【００３７】
次に、一例として、図４に、システム１００の動作が実行されるバックエンド・コンポーネント、すなわち、図１においてはコントローラ１０８として示したコントローラ４００のハードウェア・アーキテクチャの構成を示す。尚、図４では、コントローラのコンポーネントの意義をより明確にするため、参照符号４３２で表した、コントローラ以外のドキュメント処理装置のコンポーネントの一部を併せて示す。コントローラ４００は、本明細書に記載する動作を円滑に実行する能力を有する、本技術分野において知られている任意の汎用的なコンピューティング装置を表す。コントローラ４００には、少なくとも１つのＣＰＵを含むプロセッサ４０２が含まれる。プロセッサ４０２は、互いに協調して動作する複数のＣＰＵから構成されることもある。また、コントローラ４００には、ＢＩＯＳ機能、システム機能、システム構成データおよびコントローラ４００の動作に使用する他のルーチンもしくはデータ等の静的または固定的なデータ、あるいはインストラクションのために有効に使用される、不揮発性または読出し専用メモリ（ＲＯＭ）４０４が含まれる。
【００３８】
また、コントローラ４００には、ダイナミック・ランダム・アクセス・メモリ、スタティック・ランダム・アクセス・メモリ、または他の任意の適切なアドレス指定可能かつ書込み可能なメモリ・システムから構成されるＲＡＭ４０６が含まれている。ＲＡＭ４０６は、プロセッサ４０２により処理されるアプリケーションおよびデータ処理に関係するデータ・インストラクションのための記憶領域を提供する。
【００３９】
ストレージ・インターフェイス４０８は、コントローラ４００に関連するデータの不揮発性保存、大容量保存または長期的な保存のためのメカニズムを提供する。ストレージ・インターフェイス４０８は、参照符号４１６で示したディスク・ドライブ、光学式ドライブあるいはテープ・ドライブ等の適切な任意のアドレス指定可能な、またはシリアル形の記憶装置等の大容量記憶装置の他、当業者に知られている適切な任意の記憶媒体を使用する。
【００４０】
ネットワーク・インターフェイス・サブシステム４１０は、ネットワークとの間の入出力を適切にルーティングすることによって、コントローラ４００が他の装置と通信することを可能にする。ネットワーク・インターフェイス・サブシステム４１０は、コントローラ４００に対する外部装置との１または複数の接続を確立する。例えば、図に示すように、Ethernet（登録商標）、トークン・リング等の固定または有線ネットワークとのデータ通信のための少なくとも１つのネットワーク・インターフェイス・カード４１４と、WiFi、WiMax、無線モデム、セルラ・ネットワークまたは適切な任意の無線通信システム等の手段を介した無線通信のために適切な無線インターフェイス４１８が接続される。また、ネットワーク・インターフェイス・サブシステム４１０は、任意の物理的データ転送レイヤあるいは物理的データ転送レイヤではないデータ転送レイヤまたはプロトコル・レイヤを適切に利用する。図に示すように、ネットワーク・インターフェイス・カード４１４は、例えば、ローカル・エリア・ネットワーク、ワイド・エリア・ネットワークまたはそれらの組合せから適切に構成される物理的ネットワーク４２０を介したデータ交換を行うために、相互接続される。
【００４１】
プロセッサ４０２、読出し専用メモリ（ＲＯＭ）４０４、ＲＡＭ４０６、ストレージ・インターフェイス４０８およびネットワーク・インターフェイス・サブシステム４１０の間のデータ通信は、バス４１２によって例示したバス・データ転送メカニズムを介して行われる。
【００４２】
また、ドキュメント・プロセッサ・インターフェイス４２２もバス４１２を介してデータ通信を行う。ドキュメント・プロセッサ・インターフェイス４２２は、様々なドキュメント処理動作を実行するために、ドキュメント処理ハードウェア４３２との接続を提供する。そのようなドキュメント処理動作には、コピー・ハードウェア４２４によって実行されるコピー、画像走査ハードウェア４２６によって実行される画像走査、印刷ハードウェア４２８によって実行される印刷、およびファクシミリ・ハードウェア４３０によって実行されるファクシミリ通信がある。コントローラ４００は、これらのドキュメント処理動作のいずれかまたは全部を適切に動作させる。複数のドキュメント処理動作を実行可能なシステムは、前述したように、ＭＦＰまたは多機能装置と呼ばれる。システム１００の機能は、ドキュメント処理装置に関連するインテリジェント・サブシステムとして図４に示したコントローラ４００（図１においてはコントローラ１０８として示した）を含む、ドキュメント処理装置１０４等の適切なドキュメント処理装置において実行される。
【００４３】
次に、一例として、システム１００の動作が実行されるコントローラの機能ブロックと動作の概要を説明する。図５は、ソフトウェアおよびオペレーティング・システム機能と関連して、図４に示したハードウェアの機能性を例示する。尚、図５においても、コントローラの機能要素の意義をより明確にするため、コントローラ以外のドキュメント処理装置の機能要素の一部を併せて示している。
【００４４】
図５に示すように、コントローラ機能は、ドキュメント処理エンジン５０２を有する。ドキュメント処理エンジン５０２は、印刷動作、コピー動作、ファクシミリ通信動作および画像走査動作を可能にする。これらの機能は、産業界において一般に好まれるドキュメント処理周辺装置であるＭＦＰと関連付けられることが多い。しかし、コントローラが上記のドキュメント処理動作のすべてを可能にする必要は必ずしもない。コントローラは、上記のドキュメント処理動作のサブセットである、専用のドキュメント処理装置、あるいはより限定した目的のドキュメント処理装置においても有効に用いられる。
【００４５】
ドキュメント処理エンジン５０２はユーザ・インターフェイス・パネル５１０と適切にインターフェイスされており、ユーザまたは管理者は、このユーザ・インターフェイス・パネル５１０を介して、ドキュメント処理エンジン５０２によって制御される機能にアクセスすることができる。アクセスは、コントローラにローカル接続されたインターフェイスを介して行われるか、遠隔のシン・クライアント（thin client）またはシック・クライアント（thick client）によって遠隔から行われる。
【００４６】
ドキュメント処理エンジン５０２は、印刷機能部５０４、ファクシミリ通信機能部５０６および画像走査機能部５０８とデータ通信を行う。これらの機能部５０４、５０６および５０８は、印刷、ファクシミリの送受信、およびドキュメント画像をコピーのために取得するか、またはドキュメント画像の電子バージョンを生成するための、ドキュメント画像走査の実際の処理動作を容易にする。
【００４７】
ジョブ・キュー（job queue）５１２は、印刷機能部５０４、ファクシミリ通信機能部５０６および画像走査機能部５０８とデータ通信を行う。ビットマップ・フォーマット、ページ記述言語（ＰＤＬ）フォーマットまたはベクター・フォーマット等の種々の画像形式は、画像走査機能部５０８からジョブ・キュー５１２を介して以降の処理のために中継される。
【００４８】
ジョブ・キュー５１２は、また、ネットワーク・サービス機能部５１４ともデータ通信を行う。一実施形態において、ジョブ制御信号、状態データまたは電子ドキュメント・データが、ジョブ・キュー５１２とネットワーク・サービス機能部５１４との間で交換される。このように、クライアント側ネットワーク・サービス機能５２０を介したコントローラ機能へのネットワーク・ベースのアクセスに適切なインターフェイスが提供され、このインターフェイスは任意の適切なシン・クライアントまたはシック・クライアントである。また、ウェブ・サービス・アクセスが、例えば、ハイパーテキスト転送プロトコル（HTTP）、ファイル転送プロトコル（FTP）、ユニフォーム・データ・ダイアグラム・プロトコルまたは他の任意の適切な交換メカニズムによって実行される。ネットワーク・サービス機能部５１４は、また、ＦＴＰ、電子メール、またはテルネット（TELNET）等を介した通信のために、クライアント側ネットワーク・サービス機能５２０とのデータ交換も有効に提供する。このように、コントローラ機能は、種々のネットワーク・アクセス・メカニズムによって、電子ドキュメントおよびユーザ情報のやり取りを容易にする。
【００４９】
ジョブ・キュー５１２は、また、画像プロセッサ５１６ともデータ通信を行う。画像プロセッサ５１６は、印刷機能部５０４、ファクシミリ通信機能部５０６または画像走査機能部５０８等の装置機能部と、電子ドキュメントを交換するために適したフォーマットに変換するラスタ画像処理（ＲＩＰ）、ページ記述言語インタープリタまたは任意の適切な画像処理を行うメカニズムである。
【００５０】
さらに、ジョブ・キュー５１２はジョブ解析部（job parser）５１８とデータ通信を行い、このジョブ解析部５１８はクライアント装置サービス部５２２等の外部装置からの印刷ジョブ言語ファイルを受け取る働きをする。クライアント装置サービス部５２２は、電子ドキュメントの印刷、ファクシミリ通信、またはコントローラ機能による処理が有効である他の適切な電子ドキュメントの入力を含む。ジョブ解析部５１８は、受け取った電子ドキュメント・ファイルを解析し、前述した機能およびコンポーネントと関連する処理のために、解析した電子ドキュメント・ファイル情報をジョブ・キュー５１２に中継する働きをする。
【００５１】
次に図６に、本発明の一実施形態によるドキュメント処理装置のユーザ・インターフェイス・システムを説明するためのブロック図の一例を示す。設定可能なドキュメント処理装置６０２は、画像走査部６０４と、レンダリング・エンジン６０６とを含む。ユーザ・インターフェイス・システムは、ドキュメント処理装置６０２に関連する複数のコンポーネントのそれぞれとデータ通信を行う問合せ生成部６０８を含む。また、システムは、問合せ生成部６０８から生成された問合せデータへの応答として得られる、ドキュメント処理装置６０２のコンポーネントのそれぞれの動作状態に対応する装置情報データを保存するデータ記憶部６１０も含む。
【００５２】
また、ユーザ・インターフェイス・システムは、ドキュメント処理装置６０２のユーザによって選択された少なくとも１つのドキュメント処理動作を表す初期選択データである第１の選択データを受け取る第１の選択データ入力部６１２を備える。比較部６１４は、データ記憶部６１０に保存されている装置情報データと、第１の選択データ入力部６１２を介して受け取ったドキュメント処理動作の第１の選択データとの比較を行う。システムは、比較部６１４の出力によって指定される機能的コントロールのサブセットのそれぞれに対応する標識を表示する表示部６１６を、さらに、備える。さらに、システムは、表示部６１６に表示される機能的コントロールのサブセットに対応する標識に対応する第２の選択データを受け取る第２の選択データ入力部６１８を備える。ドキュメント処理装置６０２は、第１の選択データ入力部６１２および第２の選択データ入力部６１８を介してそれぞれ受け取った第１の選択データおよび第２の選択データにしたがって動作する制御部６２０によって、制御される。
【００５３】
他の実施形態において、表示部６１６は、第２の選択データに対応する第２の標識を、さらに、表示する。この実施形態において、システムは、表示部６１６に表示された第２の標識に対応する補足的な選択データを受け取る補足的な選択データ入力部（図示せず）を、さらに、備える。ドキュメント処理装置６０２は、補足的な選択データ入力部を介して受け取った補足的な選択データにしたがって動作するドキュメント処理装置の制御部６２０によって、制御される。
【００５４】
次に図７に、本発明の一実施形態によるシステムの機能ブロック図の一例を示す。コンポーネント問合せ部７０２は、ドキュメント処理装置（図示せず）に関連するコンポーネントに対して問合せを行う。装置情報データ受信部７０４は、コンポーネント問合せ部７０２が行った問合せに対する応答であるコンポーネントのそれぞれの動作特性に対応する装置情報データを受け取る。装置動作データ受信部７０６は、ドキュメント処理装置の選択されたドキュメント処理動作に対応する装置動作データを受け取る。比較部７０８は、受け取られた装置情報データを、受け取られた装置動作データに対して比較する。
【００５５】
標識生成部７１０は、比較部７０８の出力に基づいて、コンポーネントのサブセットのコントロールに対応する標識をディスプレイ上に生成する。第２の選択データ受信部７１２は、ディスプレイに表示された標識の少なくとも１つに対応する第２の選択データを受け取る。動作開始制御部７１４は、受け取られた第２の選択データにしたがって、ドキュメント処理装置の動作を開始させる。
【００５６】
次に、本発明における動作の例を、フローチャートおよび例示的なユーザ・インターフェイスを参照しながら説明する。図８は、本実施の形態における基本的な動作の一例を示すフローチャートである。先ずステップ８０２において、ドキュメント処理装置１０４に関連する複数のコンポーネントに対して、動作特性に関する問合せが行われる。問合せが行われるコンポーネントには、例えば、シート・ストック入力コンポーネント、印刷シート出力コンポーネント、ドキュメント・データ入力コンポーネントおよびドキュメント・データ出力コンポーネント等が含まれる。次いでステップ８０４において、それぞれのコンポーネントの動作特性に対応する装置情報データが受け取られる。
【００５７】
ステップ８０６において、ユーザ・インターフェイス１０６またはキオスク１１４等を介して、ユーザによって選択されたドキュメント処理装置１０４の少なくとも１つのドキュメント処理動作に対応し、第1の選択データである装置動作データが受け取られる。次いでステップ８０８において、コントローラ１０８またはドキュメント処理装置１０４に関連する他の適切なコンポーネントは、受け取った装置情報データを、受け取った装置動作データに対して比較する。次いでステップ８１０において、ステップ８０８において行われた比較の出力に基づいて、ユーザ・インターフェイス１０６またはキオスク１１４の表示装置１１６等を介して、コンポーネントのサブセットのコントロールに対応する標識（indicia）が生成される。本発明の例示的な一実施形態においては、ユーザに対して標識を表示するために、ユーザ・インターフェイス１０６または表示装置１１６等のディスプレイを介して、適切なグラフィカル・ユーザ・インターフェイス（以下、本明細書および図面においてＧＵＩとも記す）が生成される。
【００５８】
次にステップ８１２で、コントローラ１０８またはドキュメント処理装置１０４に関連する他の適切なコンポーネントは、ユーザ・インターフェイス１０６またはキオスク１１４等を介して、ディスプレイに表示された少なくとも１つの標識に対応する第２の選択データを受け取る。次いでステップ８１４において、コントローラ１０８は、受け取った第２の選択データにしたがって、ドキュメント処理装置１０４における選択されたドキュメント処理動作を開始させる。
【００５９】
さらに、本発明の他の実施形態における動作の一例について図９のフローチャートを用いて詳述する。先ず、ステップ９０２において、ユーザ・インターフェイス１０６、キオスク１１４の表示装置１１６、またはドキュメント処理装置１０４に関連する他の適切なコンポーネントを介して、ＧＵＩが生成される。ＧＵＩは、アイコン、ドキュメント処理動作のグラフィックな表現、プルダウン・メニューまたはポップアップ・メニュー等を含む本技術分野において知られている任意の適切なインターフェイスを表す。
【００６０】
図１０は、ユーザ・インターフェイス１０６または表示装置１１６等に表示される本発明の一実施形態による適切なテンプレート・ドキュメント処理ユーザ・インターフェイス１０００を示す。図１０に示されているように、ユーザ・インターフェイス１０００は、ドキュメント処理装置１０４によって実行可能な動作に対応するアイコンのセットを含む。
【００６１】
ステップ９０４において、コントローラ１０８またはドキュメント処理装置１０４に関連する他の適切なコンポーネントは、ユーザ・インターフェイス１０６またはキオスク１１４等を介して、ユーザによって選択されたドキュメント処理装置１０４の少なくとも１つのドキュメント処理動作に対応し、第1の選択データである装置動作データを受け取る。このようなドキュメント処理動作には、例えば、コピー、画像走査、ファクシミリ、管理、電子メール、フォーム作成、および印刷等が含まれる。
【００６２】
ステップ９０６において、受け取った装置動作データにしたがって、ドキュメント処理装置１０４のコンポーネントに対して、問合せが実行される。すなわち、コントローラ１０８またはドキュメント処理装置１０４に関連する他の適切なコンポーネントは、例えば、印刷動作の場合における、フィード・ストック・コンポーネント、印刷エンジン・コンポーネント、およびトナー・コンポーネント等のように、選択されたドキュメント処理動作のワークフローに関連するコンポーネントに対して、状態に関する問合せを実行する。次いでステップ９０８において、コントローラ１０８からの問合せに応答し、問合せ先のコンポーネントから、その動作特性に対応する装置情報データが受け取られる。ステップ９１０において、コントローラ１０８またはドキュメント処理装置１０４に関連する他の適切なコンポーネントを介して、受け取った装置情報データの装置動作データに対する比較が行われる。次いでステップ９１２において、ユーザ・インターフェイス１０６またはキオスク１１４の表示装置１１６等を介して、選択されたドキュメント処理動作に関連するコンポーネントのサブセットのコントロールに対応する標識が生成される。
【００６３】
図１１は、例えば、画像走査動作等の所望の動作が選択された状態にあるテンプレート・ドキュメント処理装置ユーザ・インターフェイス１１００を示す。図１１に示されているように、選択された画像走査動作に対応するユーザ・インターフェイス１１００は、選択された画像走査動作を実行する際に実行される追加コンポーネントのための後続の標識を含む。
【００６４】
次いでステップ９１４において、ユーザ・インターフェイス１０６またはキオスク１１４等を介して、ユーザから第２の選択データが受け取られる。受け取られる第２の選択データは、ステップ９１２において表示された標識の中の少なくとも１つに対応する。例えば、ユーザが画像走査動作を選択した場合には、コントロール標識は、ターゲットの宛先等の画像走査設定、電子メール設定、およびファイル転送プロトコル設定等を含む。次いでステップ９１６において、選択されたドキュメント処理動作に関連する更なるワークフローが残っているか否か、すなわち、選択されたドキュメント処理動作を実行するために、更なるユーザ選択が必要であるか否かの判断が行われる。更なるワークフローが不要であると判断された場合には、処理はステップ９３０に進み、コントローラ１０８またはドキュメント処理装置１０４に関連する他の適切なコンポーネントは、例えば、最初および第２の選択データ等の受け取った選択データにしたがって、選択されたドキュメント処理動作を開始させる。
【００６５】
ステップ９１６において、更なるワークフローが利用可能な状態にあると判断された場合には、処理はステップ９１８に進む。ステップ９１８において、受け取った第２の選択データにしたがって、選択されたドキュメント処理動作に関連する更なるコンポーネントに対する問合せが、コントローラ１０８またはドキュメント処理装置１０４に関連する他の適切なコンポーネントによって実行される。次いでステップ９２０において、問合せに応答し、コントローラ１０８またはドキュメント処理装置１０４に関連する他の適切なコンポーネントは、ドキュメント処理装置１０４の動作特性の装置情報データを受け取る。次いでステップ９２２において、ユーザ・インターフェイス１０６等のディスプレイまたは表示装置１１６等を介して、受け取った第２の選択データおよび受け取った装置情報データに対応する改訂された標識（revised indicia）が生成される。
【００６６】
図１２は、更なるワークフローとの関連において生成された改訂された標識に対応するテンプレート・ドキュメント処理装置ユーザ・インターフェイス１２００を示す。すなわち、ユーザ・インターフェイス１２００は、画像走査動作を完了させるための更なるワークフローを示しており、この場合には、ファイル転送プロトコル（ＦＴＰ）が選択されている。この改訂された標識は、例えばサーバ名等のサーバ・パスと、ユーザ名との入力をユーザに促す。画像走査動作の結果をＦＴＰサーバにアップロードするために、パスワードも必要とされる場合もある。
【００６７】
次いでステップ９２４において、少なくとも１つの改訂された標識のユーザ選択に対応する補足的な選択データが、コントローラ１０８またはドキュメント処理装置１０４に関連する他の適切なコンポーネントによって受け取られる。次いでステップ９２６において、選択されたドキュメント処理動作に対応する更なるワークフローが残っているか否かの判断が行われる。例えば、選択されたドキュメント処理動作がファクシミリ通信動作である場合には、第２の選択データは、例えば、ファクシミリ番号またはファクシミリ解像度等を含むことが可能であり、この場合、補足的な選択データは、選択されたファクシミリ通信動作の完了に関連する後続のコンポーネントまたは入力に対応可能である。
【００６８】
ステップ９２６において、更なるワークフローが利用可能な状態で残っていると判断されると、処理はステップ９２８に進み、受け取った補足的な選択データにしたがって、ドキュメント処理装置１０４のコンポーネントに対する問合せが行われる。この後、処理はステップ９２０に戻り、ステップ９２８で行われた問合せに応じた、動作特性の装置情報データを受け取る。この後、処理は、前述したステップ９２２ないしステップ９２６における動作を繰り返す。ステップ９２６において、選択されたドキュメント処理動作に対応する更なるワークフローが利用可能な状態で残っていないと判断されると、処理はステップ９３０に進む。ステップ９３０において、受け取った選択データにしたがって、選択されたドキュメント処理動作がドキュメント処理装置１０４によって開始される。
【００６９】
図１３は、本発明の例示用の一実施形態による装置コンポーネントのワークフロー問合せにしたがったカスタマイ化を例示したユーザ・インターフェイス１３００を示す。
【００７０】
本発明は、ソース・コード、オブジェクト・コード、部分的にコンパイルされた形のようなコード中間ソースおよびオブジェクト・コードの形、あるいは本発明の実施形態で使用するために適した任意の他の形のコンピュータ・プログラムをも含む。コンピュータ・プログラムは、スタンドアローンのアプリケーション、ソフトウェア・コンポーネント、スクリプトまたは他のアプリケーションへのプラグ・インとすることができる。本発明を実施するコンピュータ・プログラムは、例えば、ＲＯＭやＲＡＭ等の記憶媒体、ＣＤ−ＲＯＭ等の光記録媒体、フロッピー（登録商標）ディスク等の磁気記録媒体等の、コンピュータ・プログラムを伝達することができる任意の実体または装置である担体上で具体化することができ、あるいは電気ケーブルまたは光ケーブルによって、または無線や他の手段によって伝えられる電気信号や光信号等の任意の担体によって伝達することができる。コンピュータ・プログラムは、サーバからインターネットを介してダウンロードすることもできる。また、コンピュータ・プログラムの機能は集積回路に組み込むこともできる。説明を行った本発明の原理を実質的にコンピュータまたはプロセッサに実行させるコードを含む任意およびすべての実施形態は、本発明の範囲内にある。
【００７１】
本発明の好ましい実施形態の以上の説明は、例示と説明のために行った。説明は網羅的ではなく、本発明を開示した形態に限定しようとするものでもない。以上の開示を鑑みて明らかな修正または変形が可能である。例えば、本発明による実施形態の説明に記したシステムおよび方法は、通信、汎用コンピューティング、データ処理、財務トランザクション、あるいは製品の販売またはサービスの提供等を含む、グラフィカル・ユーザ・インターフェイスを利用する複数の様々な分野に対しても適用可能であり、本発明がドキュメント処理への適用に限定されるものではない。実施形態は、本発明の原理とその実際的な応用例を最もよく示し、それにより当業者が、本発明を意図された特定の使用に適した様々な実施形態において様々な変更を加えて使用できるように選択され説明された。そのようなすべての修正と変形は、添付する特許請求の範囲の記載に明示されるとおりの本発明の原理および範囲内において、当業者によって行われ得ることは明らかであり、特許請求の範囲の記載によって定められる本発明の範囲内にある。
【符号の説明】
【００７２】
１００・・・システム、
１０２・・・コンピュータ・ネットワーク、分散通信システム、
１０４・・・ドキュメント処理装置、ＭＦＰ、
１０６・・・ユーザ・インターフェイス、
１０８・・・コントローラ、  １１０・・・データ記憶装置、
１１２、１２４・・・通信リンク、  １１４・・・キオスク、  １１６・・・表示装置、
１１８・・・ユーザ入力装置、  １２０・・・携帯形記憶装置リーダ、
１２２・・・管理装置、  ２００、３００・・・ドキュメント処理装置、
２０２、４０２・・・プロセッサ、  ２０４、４０４・・・読出し専用メモリ、ＲＯＭ、
２０６、４０６・・・ＲＡＭ、  ２０８、４０８・・・ストレージ・インターフェイス、
２１０、４１０・・・ネットワーク・インターフェイス・サブシステム、
２１２、４１２・・・バス、
２１４、３１６、４１４・・・ネットワーク・インターフェイス・カード、
２１６、４１６・・・ディスク・ドライブ、
２１８、４１８・・・無線インターフェイス、
２２０、４２０・・・物理的ネットワーク、
２２２・・・オプションの入出力インターフェイス、
２２４・・・ユーザ入出力パネル、  ２２６・・・印刷インターフェイス、
２２８・・・コピー・インターフェイス、  ２３０・・・画像走査インターフェイス、
２３２・・・ファクシミリ・インターフェイス、  ２３４、３０４・・・印刷エンジン、
２３６・・・コピー・エンジン、  ２３８、３０８・・・画像走査エンジン、
２４０、３０６・・・ファクシミリ・エンジン、
３０２、５０２・・・ドキュメント処理エンジン、  ３１０・・・コンソール・パネル、
３１４・・・デバイス・ドライバ、
３１８、３２０、３２２、３２４、３２６・・・ドライバ、
４００・・・コントローラ、
４２２・・・ドキュメント・プロセッサ・インターフェイス、
４２４・・・コピー・ハードウェア、  ４２６・・・画像走査ハードウェア、
４２８・・・印刷ハードウェア、  ４３０・・・ファクシミリ・ハードウェア、
４３２・・・ドキュメント処理ハードウェア、  ５０４・・・印刷機能部、
５０６・・・ファクシミリ通信機能部、  ５０８・・・画像走査機能部、
５１０・・・ユーザ・インターフェイス・パネル、  ５１２・・・ジョブ・キュー、
５１４・・・ネットワーク・サービス機能部、  ５１６・・・画像プロセッサ、
５１８・・・ジョブ解析部、
５２０・・・クライアント側ネットワーク・サービス機能、
５２２・・・クライアント装置サービス部、
６０２・・・ドキュメント処理装置、  ６０４・・・画像走査部、
６０６・・・レンダリング・エンジン、  ６０８・・・問合せ生成部、
６１０・・・データ記憶部、  ６１２・・・第１の選択データ入力部、
６１４・・・比較部、  ６１６・・・表示部、
６１８・・・第２の選択データ入力部、  ６２０・・・制御部
【図１】
2010244547.tif 000003
【図２】
2010244547.tif 000004
【図３】
2010244547.tif 000005
【図４】
2010244547.tif 000006
【図５】
2010244547.tif 000007
【図６】
2010244547.tif 000008
【図７】
2010244547.tif 000009
【図８】
2010244547.tif 000010
【図９】
2010244547.tif 000011
【図１０】
2010244547.tif 000012
【図１１】
2010244547.tif 000013
【図１２】
2010244547.tif 000014
【図１３】
2010244547.tif 000015